(57)【要約】【課題】利用者の嗜好や行動に対応した広告を提供すること。【解決手段】広告提供システム１００に用いられる携帯電話装置１１０は、取得部１１１と、生成部１１２と、第１の受信部１１３と、要求部１１４と、第２の受信部１１６と、転送部１２０とを備える。取得部１１１は、利用者による当該携帯電話装置１１０の使用状態に関する履歴及び／又は利用者の行動に関する履歴を取得する。生成部１１２は、上記履歴に基づいて、利用者の属性情報を生成する。第１の受信部１１３は、ナビゲーション装置１４０から移動体の位置に関する情報を受信する。要求部１１４は、属性情報と位置に関する情報とに基づいて、広告提供サーバ１３０に広告情報の配信要求をおこなう。第２の受信部１１６は、当該利用者に対応する広告情報を広告提供サーバ１３０から受信する。転送部１２０は、広告情報をナビゲーション装置１４０に転送する。【選択図】図１
2009080733.tif 000002
【特許請求の範囲】
【請求項１】
利用者が所有する携帯電話装置と、移動体に搭載され且つ前記携帯電話装置に接続可能なナビゲーション装置と、広告情報を提供する広告提供サーバと、を備えた広告提供システムにおいて、
前記携帯電話装置は、
利用者による当該携帯電話装置の使用状態に関する履歴及び／又は利用者の行動に関する履歴を取得する取得手段と、
前記ナビゲーション装置によって検出される前記移動体の位置に関する情報を、前記ナビゲーション装置から受信する第１の受信手段と、
前記取得手段によって取得された前記使用状態に関する履歴及び／又は前記行動に関する履歴と、前記第１の受信手段によって受信された前記位置に関する情報とを、自装置の認証情報とともに前記広告提供サーバに送信し、広告情報の配信要求をおこなう要求手段と、
前記要求手段による配信要求に基づいて、当該利用者に対応する広告情報を広告提供サーバから受信する第２の受信手段と、
を備え、
前記広告提供サーバは、
利用者の前記携帯電話装置の使用状態に関する履歴及び／又は利用者の行動に関する履歴と、前記位置に関する情報とを、前記携帯電話装置から、当該携帯電話装置の認証情報とともに受信する受信手段と、
前記受信手段によって前記認証情報とともに受信された前記使用状態に関する履歴及び／又は前記行動に関する履歴に基づいて、利用者の属性情報を生成する生成手段と、
前記生成手段によって生成された前記属性情報と、前記受信手段によって受信された前記位置に関する情報とに基づいて、利用者に対応する広告情報を選定する選定手段と、
前記選定手段によって選定された前記広告情報を、前記携帯電話装置に配信する配信手段と、
を備えることを特徴とする広告提供システム。
【請求項２】
利用者が所有する携帯電話装置と、移動体に搭載され且つ前記携帯電話装置に接続可能なナビゲーション装置と、広告情報を提供する広告提供サーバと、を備えた広告提供システムにおいて、
前記ナビゲーション装置は、
利用者による携帯電話装置の使用状態に関する履歴及び／又は利用者の行動に関する履歴を、前記携帯電話装置から、前記携帯電話装置の認証情報とともに受信する第１の受信手段と、
前記移動体の位置に関する情報を検出する検出手段と、
前記第１の受信手段によって前記認証情報とともに受信された前記使用状態に関する履歴及び／又は前記行動に関する履歴と、前記検出手段によって検出された前記移動体の位置に関する情報とを前記広告提供サーバに送信し、広告情報の配信要求をおこなう要求手段と、
前記要求手段による配信要求に基づいて、当該利用者に対応する広告情報を広告提供サーバから受信する第２の受信手段と、
を備え、
前記広告提供サーバは、
利用者の前記携帯電話装置の使用状態に関する履歴及び／又は利用者の行動に関する履歴と、前記位置に関する情報とを、前記ナビゲーション装置から、前記携帯電話装置の認証情報とともに受信する受信手段と、
前記受信手段によって前記認証情報とともに受信された前記使用状態に関する履歴及び／又は前記行動に関する履歴に基づいて、利用者の属性情報を生成する生成手段と、
前記生成手段によって生成された前記属性情報と、前記受信手段によって受信された前記位置に関する情報とに基づいて、利用者に対応する広告情報を選定する選定手段と、
前記選定手段によって選定された前記広告情報を、前記ナビゲーション装置に配信する配信手段と、
を備えることを特徴とする広告提供システム。
【請求項３】
利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置において、
利用者による当該携帯電話装置の使用状態に関する履歴及び／又は利用者の行動に関する履歴を取得する取得手段と、
前記取得手段によって取得された前記使用状態に関する履歴及び／又は前記行動に関する履歴に基づいて、利用者の属性情報を生成する生成手段と、
前記ナビゲーション装置によって検出される前記移動体の位置に関する情報を、前記ナビゲーション装置から受信する第１の受信手段と、
前記生成手段によって生成された前記属性情報と、前記第１の受信手段によって受信された前記移動体の位置に関する情報とに基づいて、広告提供サーバに広告情報の配信要求をおこなう要求手段と、
前記要求手段による配信要求に基づいて、当該利用者に対応する広告情報を広告提供サーバから受信する第２の受信手段と、
前記第２の受信手段によって受信された当該利用者に対応する広告情報を、前記ナビゲーション装置に転送する転送手段と、
を備えることを特徴とする携帯電話装置。
【請求項４】
前記第２の受信手段によって受信された前記広告情報を、前記ナビゲーション装置の出力手段から出力する広告情報と、自装置の出力手段から出力する広告情報とに選別する選別手段をさらに備え、
前記転送手段は、前記選別手段によって選別された前記ナビゲーション装置の出力手段から出力する広告情報を、前記携帯電話装置に転送することを特徴とする請求項３に記載の携帯電話装置。
【請求項５】
利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置において、
前記携帯電話装置の転送手段から転送された広告情報を受信する受信手段と、
前記受信手段によって受信された広告情報を出力する出力手段と、
を備えることを特徴とするナビゲーション装置。
【請求項６】
前記出力手段が前記広告情報を出力したか否かを判断する判断手段と、
前記判断手段によって前記出力手段から前記広告情報が出力されたと判断された際に、ナビゲーション機能を使用可能に起動させる起動手段と、
を備えることを特徴とする請求項５に記載のナビゲーション装置。
【請求項７】
利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置において、
利用者による携帯電話装置の使用状態に関する履歴及び／又は利用者の行動に関する履歴を、前記携帯電話装置から、当該携帯電話装置の認証情報とともに受信する第１の受信手段と、
前記第１の受信手段によって受信された前記認証情報に基づいて、前記携帯電話装置を認証する認証手段と、
前記認証手段によって前記携帯電話装置が認証された際に、前記第１の受信手段によって受信された前記使用状態に関する履歴及び／又は前記行動に関する履歴に基づいて、利用者の属性情報を生成する生成手段と、
前記移動体の位置に関する情報を検出する検出手段と、
前記生成手段によって生成された前記属性情報と、前回検出手段によって検出された前記移動体の位置に関する情報とに基づいて、広告提供サーバに広告情報の配信要求をおこなう要求手段と、
前記要求手段による配信要求に基づいて、当該利用者に対応する広告情報を広告提供サーバから受信する第２の受信手段と、
前記第２の受信手段によって受信された当該利用者に対応する広告情報を、前記携帯電話装置に転送する転送手段と、
を備えることを特徴とするナビゲーション装置。
【請求項８】
前記第２の受信手段によって受信された前記広告情報を、前記携帯電話装置の出力手段から出力する広告情報と、自装置の出力手段から出力する広告情報とに選別する選別手段をさらに備え、
前記転送手段は、前記選別手段によって選別された前記携帯電話装置の出力手段から出力する広告情報を、前記携帯電話装置に転送することを特徴とする請求項７に記載のナビゲーション装置。
【請求項９】
前記移動体の走行状態を検知する検知手段と、
前記検知手段によって検知された前記移動体の走行状態に応じて、前記出力手段による広告情報の出力を制御する出力制御手段をさらに備えることを特徴とする請求項７に記載のナビゲーション装置。
【請求項１０】
利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置において、
前記ナビゲーション装置の転送手段から転送された広告情報を受信する受信手段と、
前記受信手段によって受信された広告情報を出力する出力手段と、
を備えることを特徴とする携帯電話装置。
【請求項１１】
ナビゲーション機能を有する案内手段と、
前記出力手段が前記広告情報を出力したか否かを判断する判断手段と、
前記判断手段によって前記出力手段から前記広告情報が出力されたと判断された際に、前記案内手段のナビゲーション機能を使用可能に起動させる起動手段と、
を備えることを特徴とする請求項１０に記載の携帯電話装置。
【請求項１２】
利用者が所有する携帯電話装置と、移動体に搭載され且つ前記携帯電話装置に接続可能なナビゲーション装置と、広告情報を提供する広告提供サーバと、を備えた広告提供システムの広告提供方法において、
前記携帯電話装置による、
利用者による当該携帯電話装置の使用状態に関する履歴及び／又は利用者の行動に関する履歴を取得する取得工程と、
前記ナビゲーション装置によって検出される前記移動体の位置に関する情報を、前記ナビゲーション装置から受信する第１の受信工程と、
前記取得工程によって取得された前記使用状態に関する履歴及び／又は前記行動に関する履歴と、前記第１の受信工程によって受信された前記位置に関する情報とを、自装置の認証情報とともに前記広告提供サーバに送信し、広告情報の配信要求をおこなう要求工程と、
前記要求工程による配信要求に基づいて、当該利用者に対応する広告情報を広告提供サーバから受信する第２の受信工程と、
前記広告提供サーバによる、
利用者の前記携帯電話装置の使用状態に関する履歴及び／又は利用者の行動に関する履歴と、前記位置に関する情報とを、前記携帯電話装置から、当該携帯電話装置の認証情報とともに受信する受信工程と、
前記受信工程によって前記認証情報とともに受信された前記使用状態に関する履歴及び／又は前記行動に関する履歴に基づいて、利用者の属性情報を生成する生成工程と、
前記生成工程によって生成された前記属性情報と、前記受信工程によって受信された前記位置に関する情報とに基づいて、利用者に対応する広告情報を選定する選定工程と、
前記選定工程によって選定された前記広告情報を、前記携帯電話装置に配信する配信工程と、
を含むことを特徴とする広告提供方法。
【請求項１３】
利用者が所有する携帯電話装置と、移動体に搭載され且つ前記携帯電話装置に接続可能なナビゲーション装置と、広告情報を提供する広告提供サーバと、を備えた広告提供システムの広告提供方法において、
前記ナビゲーション装置による、
利用者による携帯電話装置の使用状態に関する履歴及び／又は利用者の行動に関する履歴を、前記携帯電話装置から、前記携帯電話装置の認証情報とともに受信する第１の受信工程と、
前記移動体の位置に関する情報を検出する検出工程と、
前記第１の受信工程によって前記認証情報とともに受信された前記使用状態に関する履歴及び／又は前記行動に関する履歴と、前記検出工程によって検出された前記移動体の位置に関する情報とを前記広告提供サーバに送信し、広告情報の配信要求をおこなう要求工程と、
前記要求工程による配信要求に基づいて、当該利用者に対応する広告情報を広告提供サーバから受信する第２の受信工程と、
前記広告提供サーバによる、
利用者の前記携帯電話装置の使用状態に関する履歴及び／又は利用者の行動に関する履歴と、前記位置に関する情報とを、前記ナビゲーション装置から、前記携帯電話装置の認証情報とともに受信する受信工程と、
前記受信工程によって前記認証情報とともに受信された前記使用状態に関する履歴及び／又は前記行動に関する履歴に基づいて、利用者の属性情報を生成する生成工程と、
前記生成工程によって生成された前記属性情報と、前記受信工程によって受信された前記位置に関する情報とに基づいて、利用者に対応する広告情報を選定する選定工程と、
前記選定工程によって選定された前記広告情報を、前記ナビゲーション装置に配信する配信工程と、
を含むことを特徴とする広告提供方法。
【請求項１４】
利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置の広告受信方法において、
利用者による当該携帯電話装置の使用状態に関する履歴及び／又は利用者の行動に関する履歴を取得する取得工程と、
前記取得工程によって取得された前記使用状態に関する履歴及び／又は前記行動に関する履歴に基づいて、利用者の属性情報を生成する生成工程と、
前記ナビゲーション装置によって検出される前記移動体の位置に関する情報を、前記ナビゲーション装置から受信する第１の受信工程と、
前記生成工程によって生成された前記属性情報と、前記第１の受信工程によって受信された前記移動体の位置に関する情報とに基づいて、広告提供サーバに広告情報の配信要求をおこなう要求工程と、
前記要求工程による配信要求に基づいて、当該利用者に対応する広告情報を広告提供サーバから受信する第２の受信工程と、
前記第２の受信工程にて受信した当該利用者に対応する広告情報を、前記ナビゲーション装置に転送する転送工程と、
を含むことを特徴とする広告受信方法。
【請求項１５】
利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置の広告受信方法において、
前記携帯電話装置の転送手段から転送された広告情報を受信する受信工程と、
前記受信工程にて受信した広告情報を出力する出力工程と、
を含むことを特徴とする広告受信方法。
【請求項１６】
利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置の広告受信方法において、
利用者による携帯電話装置の使用状態に関する履歴及び／又は利用者の行動に関する履歴を、前記携帯電話装置から、当該携帯電話装置の認証情報とともに受信する第１の受信工程と、
前記第１の受信工程によって受信された前記認証情報に基づいて、前記携帯電話装置を認証する認証工程と、
前記認証工程によって前記携帯電話装置が認証された際に、前記第１の受信工程によって受信された前記使用状態に関する履歴及び／又は前記行動に関する履歴に基づいて、利用者の属性情報を生成する生成工程と、
前記移動体の位置に関する情報を検出する検出工程と、
前記生成工程によって生成された前記属性情報と、前回検出工程によって検出された前記移動体の位置に関する情報とに基づいて、広告提供サーバに広告情報の配信要求をおこなう要求工程と、
前記要求工程による配信要求に基づいて、当該利用者に対応する広告情報を広告提供サーバから受信する第２の受信工程と、
前記第２の受信工程にて受信した当該利用者に対応する広告情報を、前記携帯電話装置に転送する転送工程と、
を含むことを特徴とする広告受信方法。
【請求項１７】
利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置の広告受信方法において、
前記ナビゲーション装置の転送手段から転送された広告情報を受信する受信工程と、
前記受信工程にて受信した広告情報を出力する出力工程と、
を含むことを特徴とする広告受信方法。
【請求項１８】
請求項１２または１３に記載の広告提供方法をコンピュータに実行させることを特徴とする広告提供プログラム。
【請求項１９】
請求項１４〜１７のいずれか一つに記載の広告受信方法をコンピュータに実行させることを特徴とする広告受信プログラム。
【請求項２０】
請求項１８または１９に記載のプログラムを記録したことを特徴とするコンピュータに読み取り可能な記録媒体。
【発明の詳細な説明】
【技術分野】
【０００１】
この発明は、広告提供システム、広告提供システムに用いられる携帯電話装置、広告提供システムに用いられるナビゲーション装置、広告提供方法、広告受信方法、広告提供プログラム、広告受信プログラム、および記録媒体に関する。ただし、この発明の利用は上述の広告提供システム、広告提供システムに用いられる携帯電話装置、広告提供システムに用いられるナビゲーション装置、広告提供方法、広告受信方法、広告提供プログラム、広告受信プログラム、および記録媒体には限られない。
【背景技術】
【０００２】
従来、Ｗｅｂサイトのページ上に、広告を掲載することがおこなわれている。特に、双方向に通信可能な通信システムにおいては、利用者を特定し、当該利用者ごとに対応した広告を提供することがおこなわれている。たとえば、利用者の電子メール作成時における文字入力速度や、文字数などから利用者の性別や年齢層などを推定し、推定した性別や年齢層に対応した広告を提供するようにした技術が提案されている（たとえば、下記特許文献１参照。）。
【０００３】
また、移動体に搭載される通信可能なナビゲーション装置についても、地図上に広告を表示するようにしたものが知られている。ナビゲーション装置において、広告を提供する場合、車両が走行できないエリアなどの広告は提供されないといった問題もある。そこで、たとえば、携帯電話端末で受信した広告情報をナビゲーション装置に転送するようにした技術が提案されている（たとえば、下記特許文献２参照。）。
【０００４】
【特許文献１】特開２００５−１０７７２８号公報
【特許文献２】特開２００６−２０９２８０号公報
【発明の開示】
【発明が解決しようとする課題】
【０００５】
しかしながら、上述した特許文献１の技術は、利用者の性別や年齢などを特定するに過ぎず、利用者の嗜好、行動、位置に対応した広告を提供することができないといった問題が一例として挙げられる。また、上述した特許文献２の技術は、携帯電話端末で受信した広告情報を、単にナビゲーション装置にて表示させるようにしたものであり、特許文献１の技術と同様に、利用者の嗜好、行動、現在位置に対応した広告を提供することができないといった問題が一例として挙げられる。
【課題を解決するための手段】
【０００６】
上述した課題を解決し、目的を達成するため、請求項１の発明にかかる広告提供システムは、利用者が所有する携帯電話装置と、移動体に搭載され且つ前記携帯電話装置に接続可能なナビゲーション装置と、広告情報を提供する広告提供サーバと、を備えた広告提供システムにおいて、前記携帯電話装置は、利用者による当該携帯電話装置の使用状態に関する履歴及び／又は利用者の行動に関する履歴を取得する取得手段と、前記ナビゲーション装置によって検出される前記移動体の位置に関する情報を、前記ナビゲーション装置から受信する第１の受信手段と、前記取得手段によって取得された前記使用状態に関する履歴及び／又は前記行動に関する履歴と、前記第１の受信手段によって受信された前記位置に関する情報とを、自装置の認証情報とともに前記広告提供サーバに送信し、広告情報の配信要求をおこなう要求手段と、前記要求手段による配信要求に基づいて、当該利用者に対応する広告情報を広告提供サーバから受信する第２の受信手段と、を備え、前記広告提供サーバは、利用者の前記携帯電話装置の使用状態に関する履歴及び／又は利用者の行動に関する履歴と、前記位置に関する情報とを、前記携帯電話装置から、当該携帯電話装置の認証情報とともに受信する受信手段と、前記受信手段によって前記認証情報とともに受信された前記使用状態に関する履歴及び／又は前記行動に関する履歴に基づいて、利用者の属性情報を生成する生成手段と、前記生成手段によって生成された前記属性情報と、前記受信手段によって受信された前記位置に関する情報とに基づいて、利用者に対応する広告情報を選定する選定手段と、前記選定手段によって選定された前記広告情報を、前記携帯電話装置に配信する配信手段と、を備えることを特徴とする。
【０００７】
また、請求項２の発明にかかる広告提供システムは、利用者が所有する携帯電話装置と、移動体に搭載され且つ前記携帯電話装置に接続可能なナビゲーション装置と、広告情報を提供する広告提供サーバと、を備えた広告提供システムにおいて、前記ナビゲーション装置は、利用者による携帯電話装置の使用状態に関する履歴及び／又は利用者の行動に関する履歴を、前記携帯電話装置から、前記携帯電話装置の認証情報とともに受信する第１の受信手段と、前記移動体の位置に関する情報を検出する検出手段と、前記第１の受信手段によって前記認証情報とともに受信された前記使用状態に関する履歴及び／又は前記行動に関する履歴と、前記検出手段によって検出された前記移動体の位置に関する情報とを前記広告提供サーバに送信し、広告情報の配信要求をおこなう要求手段と、前記要求手段による配信要求に基づいて、当該利用者に対応する広告情報を広告提供サーバから受信する第２の受信手段と、を備え、前記広告提供サーバは、利用者の前記携帯電話装置の使用状態に関する履歴及び／又は利用者の行動に関する履歴と、前記位置に関する情報とを、前記ナビゲーション装置から、前記携帯電話装置の認証情報とともに受信する受信手段と、前記受信手段によって前記認証情報とともに受信された前記使用状態に関する履歴及び／又は前記行動に関する履歴に基づいて、利用者の属性情報を生成する生成手段と、前記生成手段によって生成された前記属性情報と、前記受信手段によって受信された前記位置に関する情報とに基づいて、利用者に対応する広告情報を選定する選定手段と、前記選定手段によって選定された前記広告情報を、前記ナビゲーション装置に配信する配信手段と、を備えることを特徴とする。
【０００８】
また、請求項３の発明にかかる携帯電話装置は、利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置において、利用者による当該携帯電話装置の使用状態に関する履歴及び／又は利用者の行動に関する履歴を取得する取得手段と、前記取得手段によって取得された前記使用状態に関する履歴及び／又は前記行動に関する履歴に基づいて、利用者の属性情報を生成する生成手段と、前記ナビゲーション装置によって検出される前記移動体の位置に関する情報を、前記ナビゲーション装置から受信する第１の受信手段と、前記生成手段によって生成された前記属性情報と、前記第１の受信手段によって受信された前記移動体の位置に関する情報とに基づいて、広告提供サーバに広告情報の配信要求をおこなう要求手段と、前記要求手段による配信要求に基づいて、当該利用者に対応する広告情報を広告提供サーバから受信する第２の受信手段と、前記第２の受信手段によって受信された当該利用者に対応する広告情報を、前記ナビゲーション装置に転送する転送手段と、を備えることを特徴とする。
【０００９】
また、請求項５の発明にかかるナビゲーション装置は、利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置において、前記携帯電話装置の転送手段から転送された広告情報を受信する受信手段と、前記受信手段によって受信された広告情報を出力する出力手段と、を備えることを特徴とする。
【００１０】
また、請求項７の発明にかかるナビゲーション装置は、利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置において、利用者による携帯電話装置の使用状態に関する履歴及び／又は利用者の行動に関する履歴を、前記携帯電話装置から、当該携帯電話装置の認証情報とともに受信する第１の受信手段と、前記第１の受信手段によって受信された前記認証情報に基づいて、前記携帯電話装置を認証する認証手段と、前記認証手段によって前記携帯電話装置が認証された際に、前記第１の受信手段によって受信された前記使用状態に関する履歴及び／又は前記行動に関する履歴に基づいて、利用者の属性情報を生成する生成手段と、前記移動体の位置に関する情報を検出する検出手段と、前記生成手段によって生成された前記属性情報と、前回検出手段によって検出された前記移動体の位置に関する情報とに基づいて、広告提供サーバに広告情報の配信要求をおこなう要求手段と、前記要求手段による配信要求に基づいて、当該利用者に対応する広告情報を広告提供サーバから受信する第２の受信手段と、前記第２の受信手段によって受信された当該利用者に対応する広告情報を、前記携帯電話装置に転送する転送手段と、を備えることを特徴とする。
【００１１】
また、請求項１０の発明にかかる携帯電話装置は、利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置において、前記ナビゲーション装置の転送手段から転送された広告情報を受信する受信手段と、前記受信手段によって受信された広告情報を出力する出力手段と、を備えることを特徴とする。
【００１２】
また、請求項１２の発明にかかる広告提供方法は、利用者が所有する携帯電話装置と、移動体に搭載され且つ前記携帯電話装置に接続可能なナビゲーション装置と、広告情報を提供する広告提供サーバと、を備えた広告提供システムの広告提供方法において、前記携帯電話装置による、利用者による当該携帯電話装置の使用状態に関する履歴及び／又は利用者の行動に関する履歴を取得する取得工程と、前記ナビゲーション装置によって検出される前記移動体の位置に関する情報を、前記ナビゲーション装置から受信する第１の受信工程と、前記取得工程によって取得された前記使用状態に関する履歴及び／又は前記行動に関する履歴と、前記第１の受信工程によって受信された前記位置に関する情報とを、自装置の認証情報とともに前記広告提供サーバに送信し、広告情報の配信要求をおこなう要求工程と、前記要求工程による配信要求に基づいて、当該利用者に対応する広告情報を広告提供サーバから受信する第２の受信工程と、前記広告提供サーバによる、利用者の前記携帯電話装置の使用状態に関する履歴及び／又は利用者の行動に関する履歴と、前記位置に関する情報とを、前記携帯電話装置から、当該携帯電話装置の認証情報とともに受信する受信工程と、前記受信工程によって前記認証情報とともに受信された前記使用状態に関する履歴及び／又は前記行動に関する履歴に基づいて、利用者の属性情報を生成する生成工程と、前記生成工程によって生成された前記属性情報と、前記受信工程によって受信された前記位置に関する情報とに基づいて、利用者に対応する広告情報を選定する選定工程と、前記選定工程によって選定された前記広告情報を、前記携帯電話装置に配信する配信工程と、を含むことを特徴とする。
【００１３】
また、請求項１３の発明にかかる広告提供方法は、利用者が所有する携帯電話装置と、移動体に搭載され且つ前記携帯電話装置に接続可能なナビゲーション装置と、広告情報を提供する広告提供サーバと、を備えた広告提供システムの広告提供方法において、前記ナビゲーション装置による、利用者による携帯電話装置の使用状態に関する履歴及び／又は利用者の行動に関する履歴を、前記携帯電話装置から、前記携帯電話装置の認証情報とともに受信する第１の受信工程と、前記移動体の位置に関する情報を検出する検出工程と、前記第１の受信工程によって前記認証情報とともに受信された前記使用状態に関する履歴及び／又は前記行動に関する履歴と、前記検出工程によって検出された前記移動体の位置に関する情報とを前記広告提供サーバに送信し、広告情報の配信要求をおこなう要求工程と、前記要求工程による配信要求に基づいて、当該利用者に対応する広告情報を広告提供サーバから受信する第２の受信工程と、前記広告提供サーバによる、利用者の前記携帯電話装置の使用状態に関する履歴及び／又は利用者の行動に関する履歴と、前記位置に関する情報とを、前記ナビゲーション装置から、前記携帯電話装置の認証情報とともに受信する受信工程と、前記受信工程によって前記認証情報とともに受信された前記使用状態に関する履歴及び／又は前記行動に関する履歴に基づいて、利用者の属性情報を生成する生成工程と、前記生成工程によって生成された前記属性情報と、前記受信工程によって受信された前記位置に関する情報とに基づいて、利用者に対応する広告情報を選定する選定工程と、前記選定工程によって選定された前記広告情報を、前記ナビゲーション装置に配信する配信工程と、を含むことを特徴とする。
【００１４】
また、請求項１４の発明にかかる広告受信方法は、利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置の広告受信方法において、利用者による当該携帯電話装置の使用状態に関する履歴及び／又は利用者の行動に関する履歴を取得する取得工程と、前記取得工程によって取得された前記使用状態に関する履歴及び／又は前記行動に関する履歴に基づいて、利用者の属性情報を生成する生成工程と、前記ナビゲーション装置によって検出される前記移動体の位置に関する情報を、前記ナビゲーション装置から受信する第１の受信工程と、前記生成工程によって生成された前記属性情報と、前記第１の受信工程によって受信された前記移動体の位置に関する情報とに基づいて、広告提供サーバに広告情報の配信要求をおこなう要求工程と、前記要求工程による配信要求に基づいて、当該利用者に対応する広告情報を広告提供サーバから受信する第２の受信工程と、前記第２の受信工程にて受信した当該利用者に対応する広告情報を、前記ナビゲーション装置に転送する転送工程と、を含むことを特徴とする。
【００１５】
また、請求項１５の発明にかかる広告受信方法は、利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置の広告受信方法において、前記携帯電話装置の転送手段から転送された広告情報を受信する受信工程と、前記受信工程にて受信した広告情報を出力する出力工程と、を含むことを特徴とする。
【００１６】
また、請求項１６の発明にかかる広告受信方法は、利用者が所有する携帯電話装置と、移動体に搭載され且つ前記携帯電話装置に接続可能なナビゲーション装置と、広告情報を提供する広告提供サーバと、を備えた広告提供システムに用いられるナビゲーション装置の広告受信方法において、利用者による携帯電話装置の使用状態に関する履歴及び／又は利用者の行動に関する履歴を、前記携帯電話装置から、当該携帯電話装置の認証情報とともに受信する第１の受信工程と、前記第１の受信工程によって受信された前記認証情報に基づいて、前記携帯電話装置を認証する認証工程と、前記認証工程によって前記携帯電話装置が認証された際に、前記第１の受信工程によって受信された前記使用状態に関する履歴及び／又は前記行動に関する履歴に基づいて、利用者の属性情報を生成する生成工程と、前記移動体の位置に関する情報を検出する検出工程と、前記生成工程によって生成された前記属性情報と、前回検出工程によって検出された前記移動体の位置に関する情報とに基づいて、広告提供サーバに広告情報の配信要求をおこなう要求工程と、前記要求工程による配信要求に基づいて、当該利用者に対応する広告情報を広告提供サーバから受信する第２の受信工程と、前記第２の受信工程にて受信した当該利用者に対応する広告情報を、前記携帯電話装置に転送する転送工程と、を含むことを特徴とする。
【００１７】
また、請求項１７の発明にかかる広告受信方法は、利用者が所有する携帯電話装置と、移動体に搭載され且つ前記携帯電話装置に接続可能なナビゲーション装置と、広告情報を提供する広告提供サーバと、を備えた広告提供システムに用いられる携帯電話装置の広告受信方法において、前記ナビゲーション装置の転送手段から転送された広告情報を受信する受信工程と、前記受信工程にて受信した広告情報を出力する出力工程と、を含むことを特徴とする。
【００１８】
また、請求項１８の発明にかかる広告提供プログラムは、請求項１２または１３に記載の広告提供方法をコンピュータに実行させることを特徴とする。
【００１９】
また、請求項１９の発明にかかる広告受信プログラムは、請求項１４〜１７のいずれか一つに記載の広告受信方法をコンピュータに実行させることを特徴とする。
【００２０】
また、請求項２０の発明にかかる記録媒体は、請求項１８または請求項１９に記載のプログラムをコンピュータに読み取り可能に記録したことを特徴とする。
【発明を実施するための最良の形態】
【００２１】
以下に添付図面を参照して、この発明にかかる広告提供システム、広告提供システムに用いられる携帯電話装置、広告提供システムに用いられるナビゲーション装置、広告提供方法、広告受信方法、広告提供プログラム、広告受信プログラム、および記録媒体の好適な実施の形態を詳細に説明する。
【００２２】
（実施の形態１）
（広告提供システム１００の構成）
この発明の実施の形態１にかかる広告提供システム１００の構成について説明する。図１は、実施の形態１にかかる広告提供システム１００の構成の一例を示す説明図である。図１において、広告提供システム１００は、携帯電話装置１１０と、広告提供サーバ１３０と、ナビゲーション装置１４０とを備えて構成される。なお、実施の形態１では、携帯電話装置１１０に、各構成要素を具備させたものとして説明するが、適宜、ナビゲーション装置１４０に各構成要素を具備させることも可能である。
【００２３】
携帯電話装置１１０は、広告提供サーバ１３０と、ナビゲーション装置１４０に通信接続されており、広告提供サーバ１３０から配信された広告情報を出力するものである。この携帯電話装置１１０は、取得部１１１と、生成部１１２と、第１の受信部１１３と、要求部１１４と、送信部１１５と、第２の受信部１１６と、出力部１１７と、蓄積部１１８と、選出部１１９と、転送部１２０と、選別部１２１と、判定部１２２と、を備えて構成される。
【００２４】
取得部１１１は、利用者による携帯電話装置１１０の使用状態に関する履歴、または利用者の行動に関する履歴を取得する。なお、取得部１１１は、利用者による携帯電話装置１１０の使用状態に関する履歴とともに、利用者の行動に関する履歴を取得してもよい。利用者の携帯電話装置１１０の使用状態に関する情報は、たとえば、Ｗｅｂサイトの検索履歴や閲覧履歴、楽曲や映像やゲームなどコンテンツの再生履歴、携帯電話装置１１０に内蔵されるカメラやビデオの使用履歴などである。利用者の行動に関する情報は、たとえば、ナビゲーション装置１４０の移動履歴のほか、携帯電話装置１１０にＧＰＳ機能が内蔵されている場合には、利用者の移動履歴であってもよい。また、利用者の行動に関する情報は、携帯電話装置１１０に電子マネーの機能が具備されている場合には購入履歴などであってもよい。
【００２５】
生成部１１２は、取得部１１１によって取得された使用状態に関する履歴、または行動に関する履歴に基づいて、利用者の属性情報を生成する。利用者の属性情報は、利用者の趣味、嗜好、行動パターンなどの情報である。生成部１１２は、具体的には、たとえば、検索履歴として、固有名称の「サッカー選手ａ」が取得された場合、属性情報として、「サッカー選手ａ」のほか、「サッカー」、「サッカー選手ａの所属チームｂ」、「スポーツ」など、関連する情報を生成する。また、移動履歴として「新宿−目黒」という履歴が取得された場合、生成部１１２は、「新宿」および「目黒」のほか、これに関連する、たとえば、経由地の「代々木」などの情報を生成する。なお、履歴そのもののワードも属性情報に含まれる。また、属性情報には、年齢、性別など、予め設定される個人情報も含む。
【００２６】
第１の受信部１１３は、ナビゲーション装置１４０の検出部１４１によって検出される移動体の位置に関する情報を、ナビゲーション装置１４０の送信部１４２から受信する。利用者の位置に関する情報は、現在から未来にかけて利用者が位置する場所の情報であり、代表的には、利用者の現在位置の情報が挙げられるが、目的地の情報や、目的地までの経路の情報であってもよい。
【００２７】
なお、現在から未来にかけて利用者が位置する場所の情報に対して、利用者が過去に位置した場所の情報については、上述した利用者の行動に関する履歴となる。つまり、検出部１０９によって逐次検出される移動体の位置に関する情報は、広告情報の配信要求後には、利用者の行動に関する履歴として、属性情報の生成に用いられることになる。
【００２８】
要求部１１４は、生成部１１２によって生成された属性情報と、第１の受信部１１３が受信した移動体の位置に関する情報に基づいて、広告提供サーバ１３０に広告情報の配信要求をおこなう。具体的には、要求部１１４は、属性情報を基に、つまり、利用者の趣味、嗜好、行動パターンなどの情報を基に、利用者ごとの属性情報に応じた広告情報の配信要求をおこなう。また、要求部１１４は、時間帯、時期、季節などに対応した広告情報の配信要求をおこなってもよい。具体的には、たとえば、お昼時には、利用者に対応した飲食店などの広告情報の配信要求をおこなえばよい。
【００２９】
送信部１１５は、携帯電話装置１１０を認証するための認証情報とともに、要求部１１４による配信要求の内容を送信する。また、第２の受信部１１６は、要求部１１４による配信要求の内容に基づいて、当該利用者に対応する広告情報を広告提供サーバ１３０から受信する。出力部１１７は、第２の受信部１１６が受信した当該利用者に対応する広告情報を出力する。出力部１１７による出力の手法は、スピーカからの音声による出力や、表示画面からの表示による出力が挙げられる。
【００３０】
このような携帯電話装置１１０が受信する広告情報の具体例としては、たとえば、生成部１１２により、検索履歴を基に「スポーツ」という属性情報と、移動履歴を基に「目黒」という属性情報とが生成され、第１の受信部１１３により、現在位置が目黒近郊であるという情報が受信された場合、第２の受信部１１６により目黒近郊のスポーツに関する広告情報として、スポーツ用品店や、スポーツジムなどの広告情報が受信される。
【００３１】
蓄積部１１８は、生成部１１２によって生成された属性情報を蓄積する。この場合、要求部１１４は、蓄積部１１８に蓄積される属性情報と、第１の受信部１１３が受信した移動体の位置に関する情報とに基づいて、広告情報の配信要求をおこなえばよい。要求部１１４は、蓄積部１１８に蓄積される属性情報のうち、たとえば、最新のものや、所定期間前のものに基づいて、広告情報の配信要求をおこなってもよいが、代表的には以下に説明するように、生成部１１２によって生成された回数が多いものに基づいて、広告情報の配信要求をおこなう。
【００３２】
具体的な構成としては、蓄積部１１８に蓄積される属性情報のうち、生成部１１２によって生成された回数の多いものから順に、属性情報を選出する選出部１１９を備えるようにすればよい。この場合、要求部１１４は、選出部１１９によって選出された属性情報に基づいて、広告情報の配信要求をおこなう。
【００３３】
ここで、生成部１１２によって生成される回数について一例を挙げて説明する。上述したように、たとえば、「サッカー選手ａ」という検索履歴などから、「サッカー選手ａ」のほか、関連する情報として、「サッカー」、「サッカー選手ａの所属チームｂ」、「スポーツ」などの属性情報が生成される。一方、「スポーツジムｃ」という検索履歴などからは、関連する情報として、「スポーツジム」、「スポーツ」などの属性情報が生成される。
【００３４】
この２つの検索履歴によって、「スポーツ」という属性情報がそれぞれ生成されたことになる。そして、同じ属性情報が生成される場合、生成部１１２による属性情報の生成される回数は２回となる。そして、選出部１１９によって、生成された回数の多い属性情報が優先して選出される。したがって、本構成は、よく行く場所、よく検索されるものに関連する広告情報（スポーツに関連する広告情報）について、優先的に配信要求がおこなわれるものである。
【００３５】
このように、蓄積部１１８を備えた構成では、蓄積される属性情報のうち、最新のものや、所定期間前のものなど、利用者にとって効果的な広告情報となる属性情報に基づいて、広告情報の配信要求をおこない、当該広告情報を受信することが可能になる。言い換えれば、本構成は、属性情報を更新することを可能にするものである。
【００３６】
また、蓄積部１１８に蓄積される属性情報のうち、生成部１１２によって生成された回数の多いものから順に、属性情報を選出するようにし、選出された属性情報に基づいて、広告情報の配信要求をおこなう構成は、利用者がよく行く場所、よく検索されるものに関連する広告情報について、優先的に配信要求をおこなうことを可能にするものである。
【００３７】
転送部１２０は、第２の受信部１１６が受信した広告情報をナビゲーション装置１４０に転送する。この場合、選別部１２１を備えればよい。つまり、選別部１２１は、当該携帯電話装置１１０から出力する広告情報と、ナビゲーション装置１４０から出力する広告情報とを選別するようにし、転送部１２０は、選別部１２１によって選別された、ナビゲーション装置１４０から出力する広告情報を、ナビゲーション装置１４０に転送する。
【００３８】
転送部１２０は、具体的には、携帯電話装置１１０の出力部１１７に比べて大きなディスプレイを有するナビゲーション装置１４０の出力部１４４から出力することが有効な動画などの広告情報をナビゲーション装置１４０に転送すればよい。なお、ナビゲーション装置１４０では、転送部１２０から転送された情報を、受信部１４１にて受信し、出力部１４４から出力する。
【００３９】
また、判定部１２２は、出力部１１７によって広告情報が出力されたか否かを判定する。この場合、要求部１１４は、判定部１２２によって判定された判定結果に基づいて、広告情報の配信要求をおこなう。本構成は、広告情報の出力結果を判定することにより、たとえば、利用者に当該広告のイメージを残させるために、所定回数、同じ広告情報の配信要求をおこなうようにしたり、また、同じ広告情報を何度も配信要求することを防止したりするためのものである。
【００４０】
ナビゲーション装置１４０は、検出部１４１と、送信部１４２と、受信部１４３と、出力部１４４と、検知部１４５と、出力制御部１４６と、判断部１４７と、起動部１４８とを備えて構成される。
【００４１】
検出部１４１は、移動体の位置に関する情報を検出する。送信部１４２は、検出部１４１によって検出された移動体の位置に関する情報を携帯電話装置１１０に送信する。また、受信部１４３は、携帯電話装置１１０の転送部１２０から広告情報を受信する。出力部１４４は、受信部１４３が受信した広告情報を出力する。
【００４２】
検知部１４５は、移動体の走行状態を検知する。出力制御部１４６は、検知部１４５によって検知された移動体の走行状態に応じて、出力部１４４による広告情報の出力を制御する。検知部１４５は、具体的には、移動体が走行中であるか、または停車中であるかを検知する。走行状態の検知は、具体的には、位置情報、車速情報、パーキングブレーキの位置などに基づいて、おこなえばよい。出力制御部１４６は、具体的には、移動体の停車中に、広告情報を出力すればよい。このような制御により、利用者に対して適切なタイミングで広告情報を出力することができる。
【００４３】
また、この場合、出力制御部１４６は、移動体の移動状態のみならず、広告情報の形式に応じて出力部１４４を制御してもよい。広告情報の形式は、動画または静止画といった情報の形式である。出力制御部１４６は、たとえば、広告情報が動画であり、移動体が走行中の場合に、広告情報を通知させないようにするなどの制御をおこなってもよい。また、通知されなかった広告情報は、記録しておき、移動体が停車した際などに通知すればよい。
【００４４】
判断部１４７は、出力部１４４が広告情報を出力したか否かを判断する。この場合、起動部１４８は、判断部１４７によって出力部１４４から広告情報が出力されたと判断された際に、ナビゲーション機能を使用可能に起動させる。判断部１４７および起動部１４８を備えた構成は、広告情報を出力して、はじめて、ナビゲーション機能が起動するようにしたものであり、利用者に対して、確実に広告情報を通知することができる。
【００４５】
（広告提供システム１００に用いられる携帯電話装置１１０の広告受信処理手順）
つぎに、図２を用いて、広告提供システム１００に用いられる携帯電話装置１１０の広告受信処理手順について説明する。図２は、実施の形態１にかかる広告提供システム１００に用いられる携帯電話装置１１０の広告受信処理手順の一例を示すフローチャートである。
【００４６】
図２のフローチャートにおいて、携帯電話装置１１０は、取得部１１１が利用者による携帯電話装置１１０の使用状態に関する履歴、または利用者の行動に関する履歴を取得する（ステップＳ２０１）。そして、生成部１１２が各履歴に基づいて、利用者の属性情報を生成する（ステップＳ２０２）。また、第１の受信部１１３がナビゲーション装置１４０から移動体の位置に関する情報を受信する（ステップＳ２０３）。
【００４７】
このあと、要求部１１４が、広告提供サーバ１３０に対して、属性情報と、移動体の位置に関する情報とに基づく広告情報の配信要求をおこなう（ステップＳ２０４）。そして、第２の受信部１１６が広告提供サーバ１３０から当該利用者に対応する広告情報を受信する（ステップＳ２０５）。このあと、転送部１２０が、第２の受信部１１６が受信した利用者ごとの広告情報をナビゲーション装置１４０に転送し（ステップＳ２０６）、一連の処理を終了する。
【００４８】
なお、転送された広告情報は、適宜、ナビゲーション装置１４０の出力部１４４から出力される。また、携帯電話装置１１０からナビゲーション装置１４０に転送されなかった広告情報の一部は、適宜、携帯電話装置１１０から出力される。
【００４９】
上述した広告提供システム１００では、主に、携帯電話装置１１０に各構成要素を具備させたものとして説明したが、ナビゲーション装置１４０にこれらの構成要素を適宜具備させることも可能である。また、ナビゲーション装置１４０に具備される各構成要素を、携帯電話装置１１０に適宜具備させることも可能である。具体的には、ナビゲーション装置１４０が広告情報を受信し、携帯電話装置１１０に転送する構成が可能である。そして、携帯電話装置１１０は、ナビゲーション装置１４０から転送された広告情報を出力する。
【００５０】
なお、このように、ナビゲーション装置１４０にこれらの構成要素を具備させる場合、携帯電話装置１１０から利用者の属性情報を生成するために、当該ナビゲーション装置の使用時に、携帯電話装置１１０を認証し、利用者ごとの各履歴を取得できるようにすればよい。つまり、この場合、ナビゲーション装置１４０は、利用者を認証するための認証部を備えればよい。
【００５１】
以上説明したように、本実施の形態にかかる広告提供システム１００では、携帯電話装置１１０が、利用者による当該携帯電話装置１１０の使用状態に関する履歴、または利用者の行動に関する履歴に基づいて、利用者の属性情報を生成し、生成された属性情報と移動体の位置に関する情報とに基づいて、広告提供サーバに広告情報の配信要求をおこない、広告情報を受信するようにした。したがって、利用者の趣味、嗜好、行動パターンなど、利用者ごとに対応した広告情報を出力することができる。また、現在位置周辺の広告情報や、目的地周辺の広告情報や、過去の行動に関する履歴を基に利用者が向かうと想定される場所までの経路周辺の広告情報などを受信することが可能になる。
【００５２】
これにより、利用者にとっては、自身が所望する広告情報や、自身にとって興味のある広告情報を閲覧できるばかりか、利用者が買い忘れていたものや、行き忘れていたところなどを思い出せるといったことも可能になる。このように、本実施の形態にかかる携帯電話装置１１０によれば、利用者にとって、広告情報をより有益な情報とすることができる。
【００５３】
また、本実施の形態において、第２の受信部１１６が受信した広告情報を選別して転送する構成によれば、たとえば、携帯電話装置１１０に比べて、大きなディスプレイを備えたナビゲーション装置に、動画などの広告情報を転送することが可能になる。したがって、広告情報に対応し、利用者にとって見易い装置にて、当該広告情報を出力することができる。
【００５４】
また、本実施の形態において、ナビゲーション装置１４０の出力部１４４から広告情報が出力されたと判断された際に、ナビゲーション機能を使用可能に起動させるようにすれば、広告情報を出力して、はじめて、ナビゲーション機能が起動させることが可能になり、利用者に対して、確実に広告情報を通知することができる。
【００５５】
また、本実施の形態においては、主に携帯電話装置１１０に各構成要素を具備させた。このように、利用者に最も密着した携帯電話装置１１０を用いることにより、利用者の趣味、嗜好、行動パターンなど、最も効果的な属性情報を得ることができる。なお、利用者が搭乗する移動体に搭載されるナビゲーション装置に、上述した構成要素を具備させることも可能である。
【００５６】
（実施の形態２）
（広告提供システム３００の構成）
この発明の実施の形態２にかかる広告提供システム３００の構成について説明する。図３は、実施の形態２にかかる広告提供システム３００の構成の一例を示す説明図である。なお、実施の形態２では、広告提供サーバ３１０に、各構成要素を具備させたものとして説明する。なお、以下の説明において、上述した実施の形態１において説明した点については、適宜説明を省略する。
【００５７】
図３において、広告提供システム３００は、広告提供サーバ３１０と、携帯電話装置３２０と、ナビゲーション装置３３０とを備えて構成される。広告提供サーバ３１０は、携帯電話装置３２０に通信接続されており、携帯電話装置３２０およびナビゲーション装置３３０に対して、広告情報を提供するものである。広告提供サーバ３１０は、受信部３１１と、生成部３１２と、選定部３１３と、配信部３１４とを備えて構成される。
【００５８】
受信部３１１は、利用者による携帯電話装置３２０の使用状態に関する履歴、または利用者の行動に関する履歴と、移動体の位置に関する情報とを、携帯電話装置３２０から、携帯電話装置３２０の認証情報とともに受信する。生成部３１２は、受信部３１１が認証情報とともに受信した上記使用状態に関する履歴、または上記行動に関する履歴に基づいて、利用者の属性情報を生成する。
【００５９】
選定部３１３は、生成部３１２によって生成された属性情報と、移動体の位置に関する情報とに基づいて、利用者に対応する広告情報を選定する。配信部３１４は、選定部３１３によって選定された広告情報を、携帯電話装置３２０に配信する。携帯電話装置３２０に配信された広告情報は、適宜、携帯電話装置３２０からナビゲーション装置３３０に転送される。
【００６０】
また、本実施の形態において、生成部３１２によって生成された属性情報を格納するデータベースなどの蓄積部を備えてもよい。この場合、選定部３１３は、蓄積部に蓄積される属性情報と、移動体の位置に関する情報とに基づいて、利用者に対応する広告情報を選定すればよい。選定部３１３は、具体的には、蓄積部に蓄積される属性情報のうち、たとえば、最新のものや、所定期間前のものに基づいて、広告情報を選定してもよいが、以下に説明するように、生成部３１２によって生成された回数が多いものについて、広告情報を選定してもよい。
【００６１】
具体的な構成としては、蓄積部に蓄積される属性情報のうち、生成部３１２によって生成された回数の多いものから順に、属性情報を選出する選出部を備えればよい。この場合、選定部３１３は、選出部によって選出された属性情報に基づいて、広告情報の選定をおこなえばよい。本構成は、よく行く場所、よく検索されるものに関連する広告情報について、優先的に配信要求をおこなうようにしたものである。
【００６２】
また、本実施の形態において、広告情報が携帯電話装置３２０またはナビゲーション装置３３０によって出力されたか否かを判定する判定部を備えてもよい。この場合、選定部３１３は、判定部によって判定された判定結果に基づいて、広告情報の選定をおこなえばよい。本構成は、広告情報の出力結果を判定することにより、たとえば、所定回数、同じ広告情報の選定をおこなうようにしたり、また、同じ広告情報を何度も選定することを防止するようにしたりするためのものである。
【００６３】
（広告提供システム３００に用いられる広告提供サーバ３１０の広告提供処理手順）
つぎに、図４を用いて、広告提供システム３００に用いられる広告提供サーバ３１０の広告提供処理手順について説明する。図４は、実施の形態２にかかる広告提供システム３００に用いられる広告提供サーバ３１０の広告提供処理手順の一例を示すフローチャートである。
【００６４】
図４のフローチャートにおいて、広告提供サーバ３１０は、受信部３１１が、携帯電話装置３２０の認証情報とともに、利用者による携帯電話装置３２０の使用状態に関する履歴、または利用者の行動に関する履歴と、移動体の位置に関する情報とを受信する（ステップＳ４０１）。そして、生成部３１２が各履歴に基づいて、利用者の属性情報を生成する（ステップＳ４０２）。このあと、選定部３１３が、属性情報と、移動体の位置に関する情報とに基づいて、利用者に対応する広告情報を選定する（ステップＳ４０３）。そして、配信部３１４が、携帯電話装置３２０に選定された広告情報を配信し（ステップＳ４０４）、一連の処理を終了する。
【００６５】
このあと、配信された広告情報は、携帯電話装置３２０にて、携帯電話装置３２０から出力する広告情報と、ナビゲーション装置３３０から出力する広告情報とに選別される。そして、携帯電話装置３２０は、ナビゲーション装置３３０から出力する広告情報をナビゲーション装置３３０に転送する。また、携帯電話装置３２０は、選別した携帯電話装置３２０から出力する広告情報を、適宜出力する。
【００６６】
以上説明したように、本実施の形態にかかる広告提供システム３００では、広告提供サーバ３１０が、利用者による携帯電話装置３２０の使用状態に関する履歴、または利用者の行動に関する履歴に基づいて、利用者の属性情報を生成し、生成された属性情報と、移動体の位置に関する情報とに基づいて、利用者に対応する広告情報を選定するようにした。したがって、利用者の趣味、嗜好、行動パターンなど、利用者ごとに対応した広告情報を提供することができる。これにより、利用者は、自身が所望する広告情報や、自身にとって興味のある広告情報を閲覧することができる。このように、本実施の形態にかかる広告提供システム３００によれば、利用者にとって、広告情報をより有益な情報とすることができる。
【実施例】
【００６７】
以下に、本発明の実施例について説明する。本実施例では、利用者が使用する携帯電話端末、車両に搭載されるナビゲーション端末、広告情報を提供する広告提供サーバによって、広告提供システムを実施した場合の一例について説明する。以下の説明において、携帯電話端末５１０が備える各機能部を、適宜、ナビゲーション端末５２０に具備させるとともに、ナビゲーション端末５２０が備える各機能部を、適宜、携帯電話端末５１０に具備させることも可能である。
【００６８】
（広告提供システム５００のシステム構成）
まず、本実施例にかかる広告提供システム５００のシステム構成について説明する。図５は、本実施例にかかる広告提供システム５００のシステム構成図である。図５において、広告提供システム５００は、携帯電話端末５１０と、ナビゲーション端末５２０と、広告提供サーバ５３０とで構成されている。携帯電話端末５１０と、広告提供サーバ５３０とは、インターネットなどのネットワークを介して接続される。また、携帯電話端末５１０と、ナビゲーション端末５２０とは、近距離無線通信によって接続される。
【００６９】
携帯電話端末５１０は、通話やインターネットへの接続機能のほか、非接触ＩＣカードが内蔵され、電子マネー、乗車券、ポイントカードなどの機能を有している。また、インターネットに接続し、Ｗｅｂサイトの閲覧をおこなう場合には、キーワードを入力することにより、所望するＷｅｂサイトの検索がおこなわれる。また、携帯電話端末５１０は、テレビ、ラジオ、カメラなどの機能を有している。
【００７０】
さらに、携帯電話端末５１０は、オーディオプレーヤなどの機能を有し、コンテンツの再生をおこなえるようになっている。また、この携帯電話端末５１０には、広告提供サーバ５３０が利用者を特定するための認証情報（ユーザＩＤ）が割り当てられている。また、携帯電話端末５１０は、ナビゲーション端末５２０を起動するためのアプリケーションプログラムを内蔵している。このプログラムは、利用者ごとの広告情報を出力したあとに、ナビゲーション端末５２０のナビゲーション機能を起動させるプログラムである。また、携帯電話端末５１０が現在位置や目的地までの経路案内をさせるためのナビゲーション機能を備えた構成の場合、アプリケーションプログラムにより、広告情報を出力したあとに、携帯電話端末５１０のナビゲーション機能を起動するようにしてもよい。
【００７１】
また、携帯電話端末５１０によって利用者の位置情報を検出することも可能である。具体的には、携帯電話端末５１０に搭載されるＧＰＳ機能のほか、エリア特定、位置特定、近距離無線などが挙げられる。
【００７２】
エリア特定は、携帯電話端末５１０からサイトにアクセスした際に取得される基地局情報を基に、その基地局がどのエリアに属するかを判断することにより、利用者の位置するエリアを特定するものである。なお、エリアの情報は、緯度経度のような詳細を示す情報ではない。
【００７３】
また、位置特定は、３つの基地局までの距離を測定し、それぞれの基地局から携帯電話端末５１０までの距離を半径とした円を描き、３つの円の交点を求めることにより、携帯電話端末５１０の位置を特定するものである。
【００７４】
近距離無線は、たとえば、ＩＣタグ、ＵＷＢ、無線ＬＡＮなどが挙げられる。ＩＣタグは、具体的には、ＲＦＩＤ（Ｒａｄｉｏ  Ｆｒｅｑｕｅｎｃｙ  ＩＤｅｎｔｉｆｉｃａｔｉｏｎ）タグであり、情報を記録したＩＣチップと、アンテナを組み合わせた小型のタグである。ＩＣタグを測位に利用する場合、たとえば、携帯電話端末５１０にＩＣタグリーダを搭載させ、測位設備にＩＣタグを配置し、携帯電話端末５１０のＩＣタグリーダがＩＣタグを読むことにより、利用者の位置を特定することが可能になる。
【００７５】
ＵＷＢ（Ｕｌｔｒａ  Ｗｉｄｅ  Ｂａｎｄ）は、無線通信方式の一つであり、位置測定やレーダ機能を併せ持つものである。ＵＷＢは、消費電力が少ない、妨害電波に強い、高速通信が可能、位置検出の精度は数ｃｍ内、広い周波数帯の通信が可能、半径１０ｍ程度の近距離での使用、といった特徴を有する。
【００７６】
無線ＬＡＮは、電気・電子分野における学会「ＩＥＥＥ（アイトリプルイー：Ｔｈｅ  Ｉｎｓｔｉｔｕｔｅ  Ｏｆ  Ｅｌｅｃｔｒｉｃａｌ  Ａｎｄ  Ｅｌｅｃｔｒｏｎｉｃｓ  Ｅｎｇｉｎｅｅｒｓ，Ｉｎｃ．）」が制定したＩＥＥＥ８０２．１１シリーズやＩＥＥＥ８０２．１５シリーズ等の通信規格に基づく無線ＬＡＮ機器や、米国団体「ワイファイアライアンス（Ｗｉ−Ｆｉ  Ａｌｌｉａｎｃｅ）」が認定した無線ＬＡＮ機器を用いた無線ＬＡＮシステムによる位置推定システムが挙げられる。具体的な例としては、携帯電話端末５１０が近傍の無線ＬＡＮ機器のアクセスポイントから流れる電波を観測し、無線ＬＡＮ機器の電測情報(アドレス、電界強度などの情報)を取得してサーバに送信する。
【００７７】
サーバは、無線ＬＡＮ機器の電測情報と、予めサーバに蓄えられている無線ＬＡＮ機器の電測情報データベースとから位置情報(緯度経度や住所情報など)を推定し、携帯電話端末５１０に返信する。携帯電話端末５１０は、たとえば、ＭＡＰサイトのＷｅｂページとも連携して動作しており、訪れた利用者がＷｅｂサイト上の「現在地を取得」ボタンを押すと、Ｗｅｂ上に現在位置のマップが表示される。そして、関連する位置指向サービスを、現在位置を基準にして利用することが可能になる。この場合の位置推定精度は、概ね５ｍ〜２００ｍ程度の範囲内である。このようにして、利用者の位置情報を検出することも可能である。
【００７８】
ナビゲーション端末５２０は、車両などの移動体に搭載され、移動体の位置に関する情報を検出する。ナビゲーション端末５２０は、ＧＰＳ機能を具備し、利用者の位置に関する情報を検出する。具体的には、移動体の現在位置を検出するとともに、目的地が設定されることにより、目的地までの経路を検出する。また、ナビゲーション端末５２０は、過去に、目的地に設定された地点や、過去に走行した軌跡などの走行履歴を格納する機能を有している。また、ナビゲーション端末５２０は、テレビやラジオなどの機能のほか、オーディオプレーヤの機能を有し、楽曲や映像などのコンテンツの再生がおこなわれる。
【００７９】
また、ナビゲーション端末５２０は、携帯電話端末５１０のアプリケーションプログラムによる起動命令に基づいて起動する。このプログラムは、上述したように、利用者ごとの広告情報を出力したあとに、ナビゲーション機能を起動させるプログラムである。したがって、ナビゲーション端末５２０は、携帯電話端末５１０からのアプリケーションプログラムによる起動命令に基づいて、広告情報を出力し、広告情報の出力が完了したあとに、ナビゲーション機能を起動し、移動体の位置に関する情報の検出を開始する。
【００８０】
広告提供サーバ５３０は、広告コンテンツＤＢ５３１と、ユーザ属性情報ＤＢ５３２とを備えている。広告コンテンツＤＢ５３１は、携帯電話端末５１０に対して配信する広告情報を格納する。広告情報は、動画や静止画などの映像情報や、音声情報である。
【００８１】
ユーザ属性情報ＤＢ５３２は、利用者の属性情報を格納する。属性情報は、具体例については図７を用いて後述するが、利用者の携帯電話端末５１０またはナビゲーション端末５２０の使用状態に関する履歴や、携帯電話端末５１０またはナビゲーション端末５２０を利用した行動に関する履歴などを基に生成される、利用者の趣味、嗜好、行動履歴などの情報である。また、属性情報には、予め設定される利用者の個人情報を含む。
【００８２】
利用者の各装置の使用状態に関する履歴は、具体的には、Ｗｅｂサイトの検索履歴や、楽曲や映像などコンテンツの再生履歴などである。また、各装置を利用した利用者の行動に関する履歴は、過去の移動履歴や、電子マネーによる購入履歴など、利用者の行動の情報である。また、利用者の個人情報は、年齢、性別などの情報である。
【００８３】
（広告提供システム５００の機能的構成）
つぎに、広告提供システム５００の機能的構成の一例について説明する。図６は、広告提供システム５００の機能的構成の一例を示す説明図である。図６において、広告提供システム５００は、携帯電話端末５１０と、ナビゲーション端末５２０と、広告提供サーバ５３０とで構成されている。
【００８４】
携帯電話端末５１０は、近距離受信部６１１と、取得部６１２と、送信部６１３と、受信部６１４と、選別部６１５と、転送部６１６と、出力部６１７とによって構成される。近距離受信部６１１は、近距離無線通信により接続されるナビゲーション端末５２０から、現在位置の情報など位置に関する情報を受信する。取得部６１２は、利用者による携帯電話端末５１０の使用状態に関する履歴、または利用者の購入履歴などの行動に関する履歴を取得する。なお、取得部６１２は、利用者による携帯電話端末５１０の使用状態に関する履歴とともに、利用者の購入履歴などの行動に関する履歴を取得してもよい。
【００８５】
送信部６１３は、取得部６１２によって取得された利用者の各履歴、およびナビゲーション端末５２０から送信された位置に関する情報を、インターネットを介して、携帯電話端末の認証情報とともに、広告提供サーバ５３０に送信する。なお、送信部６１３は、後述するように、利用者によるナビゲーション端末５２０を用いたコンテンツの再生などの利用履歴や移動体の走行履歴のほか、携帯電話端末５１０およびナビゲーション端末５２０から広告情報が出力されたか否かの出力結果を送信する。
【００８６】
受信部６１４は、広告提供サーバ５３０から配信された利用者に対応する広告情報を受信する。選別部６１５は、受信した広告情報のうち、当該携帯電話端末５１０から出力する広告情報と、またはナビゲーション端末５２０から出力する広告情報とを選別する。携帯電話端末５１０から出力する情報は、具体的には、持ち運びに適したクーポン情報などが挙げられる。一方、ナビゲーション端末５２０から出力する広告情報は、携帯電話端末５１０のディスプレイよりも大きいナビゲーション端末５２０のディスプレイから出力する方が効果的な情報として、たとえば、動画などの情報が挙げられる。
【００８７】
転送部６１６は、選別部６１５によって選別された広告情報のうち、ナビゲーション端末５２０から出力する広告情報を、ナビゲーション端末５２０に転送する。出力部６１７は、選別部６１５によって選別された広告情報のうち、携帯電話端末５１０から出力する広告情報を出力する。
【００８８】
ナビゲーション端末５２０は、検出部６２１と、近距離送信部６２２と、近距離受信部６２３と、記録部６２４と、検知部６２５と、出力制御部６２６と、出力部６２７と、を備えて構成される。検出部６２１は、移動体の現在位置や目的地までの経路等、移動体の位置に関する情報を検出する。近距離送信部６２２は、検出部６２１によって検出された移動体の位置に関する情報や、広告情報の出力結果を携帯電話端末５１０に送信する。なお、近距離送信部６２２から送信する情報には、ナビゲーション端末５２０にて再生されたコンテンツの情報や、属性情報の生成に用いることができる他の情報や、広告情報の出力結果を含めてもよい。
【００８９】
近距離受信部６２３は、上述した携帯電話端末５１０の転送部６１６から転送される、ナビゲーション端末５２０から出力する広告情報を受信する。記録部６２４は、近距離受信部６２３が受信した広告情報を記録する。検知部６２５は、移動体の走行状態を検知する。走行状態は、具体的には、移動体が走行中、または停車中といった状態である。走行状態の検知は、具体的には、位置情報、車速情報、パーキングブレーキの位置などに基づいて、おこなえばよい。出力制御部６２６は、移動体の走行状態に応じて、出力部６２７による広告情報の出力を制御する。たとえば、出力制御部６２６は、移動体が停車中に、出力部６２７から広告情報を出力させる。また、ナビゲーション端末５２０は、上述したように、携帯電話端末５１０のアプリケーションプログラムによる起動命令に基づいて起動する。
【００９０】
広告提供サーバ５３０は、受信部６３１と、生成部６３２と、選出部６３３と、選定部６３４と、配信部６３５と、判定部６０６と、広告コンテンツＤＢ５３１と、ユーザ属性情報ＤＢ５３２とを備えて構成される。受信部６３１は、携帯電話端末５１０からの各種情報、およびナビゲーション端末５２０からの各種情報を受信する。生成部６３２には、受信部６３１が受信した情報のうち、携帯電話端末５１０の使用状態に関する履歴、および利用者の行動に関する履歴に基づいて、属性情報を生成する。生成された属性情報は、ユーザ属性情報ＤＢ５３２に格納される。
【００９１】
選出部６３３は、ユーザ属性情報ＤＢ５３２に格納される属性情報のうち、たとえば、生成部６３２によって生成された回数の多いものを選出する。選定部６３４は、選出部６３３によって選出された属性情報と、利用者の位置に関する情報に基づいて、広告コンテンツＤＢ５３１から、利用者に対応する広告情報を選定する。配信部６３５は、選定部６３４によって選定された広告情報を携帯電話端末５１０に配信する。
【００９２】
判定部６３６は、広告情報が携帯電話端末５１０およびナビゲーション端末５２０から出力されたか否かを判定する。つまり、選定部６３４は、選出部６３３によって選出された属性情報と、利用者の位置に関する情報とのほか、判定部６３６によって判定された判定結果に基づいて、たとえば、同一の広告情報が何度も送信されることのないよう、広告情報を選定する機能を有している。
【００９３】
（ユーザ属性情報ＤＢ５３２のデータ構造）
つぎに、ユーザ属性情報ＤＢ５３２のデータ構造の一例について説明する。図７は、ユーザ属性情報ＤＢ５３２のデータ構造の一例を示す説明図である。図７において、ユーザ属性情報ＤＢ５３２には、ユーザ属性データ７００が格納されている。ユーザ属性データ７００には、分類７１０と、履歴７２０と、属性情報７３０とが示されている。
【００９４】
分類７１０は、履歴７２０をジャンルとしてくくったものであり、「使用状態に関するもの」と、「行動に関するもの」と、「個人情報」とが記載されている。「使用状態に関するもの」は、「検索履歴」と、「コンテンツの再生履歴」と、「使用履歴」とに分けられる。「検索履歴」は、たとえば、Ｗｅｂサイトの検索時に入力されたワードである。図７において、「検索履歴」は、「サッカー選手Ａ、スポーツジムＢ」となっている。属性情報７３０は、これらに関連する情報であり、つまり、「サッカー選手Ａ、スポーツジムＢ、スポーツ、サッカー、スポーツジム」として生成される。
【００９５】
「コンテンツの再生履歴」は、携帯電話端末５１０やナビゲーション端末５２０にて再生されたコンテンツの再生履歴である。「使用履歴」は、たとえば、携帯電話端末５１０に内蔵されるデジタルカメラやテレビなどの使用履歴である。詳細な説明については省略するが、「コンテンツの再生履歴」、「使用履歴」についても、上述した「検索履歴」と同様に、属性情報７３０が生成される。
【００９６】
また、分類７１０のうち、「行動に関するもの」は、「位置の履歴」と、「購入履歴」とに分けられる。「位置の履歴」は、利用者が過去に位置した場所である。また、「購入履歴」は、携帯電話端末５１０に内蔵される電子マネーを用いて、利用者が購入したものの履歴である。これら、「位置の履歴」、「購入履歴」についても、同様に、属性情報７３０が生成される。また、分類７１０のうち、個人情報は、予め設定される利用者の年齢、性別などの情報である。
【００９７】
（コンピュータ装置のハードウェア構成）
つぎに、図５に示したコンピュータ装置（携帯電話端末５１０、ナビゲーション端末５２０、広告提供サーバ５３０）のハードウェア構成について説明する。図８は、本実施例にかかるコンピュータ装置のハードウェア構成の一例を示すブロック図である。図８において、コンピュータ装置は、ＣＰＵ８０１と、ＲＯＭ８０２と、ＲＡＭ８０３と、磁気ディスクドライブ８０４と、磁気ディスク８０５と、光ディスクドライブ８０６と、光ディスク８０７と、音声Ｉ／Ｆ（インターフェース）８０８と、スピーカ８０９と、入力デバイス８１０と、映像Ｉ／Ｆ８１１と、ディスプレイ８１２と、通信Ｉ／Ｆ８１３と、を備えている。また、ナビゲーション端末５２０は、このほかに、ＧＰＳユニット８１４と、各種センサ８１５とを備えている。また、携帯電話端末５１０は、このほかに、カメラ８１６を備えている。また、各構成部８０１〜８１６はバス８２０によってそれぞれ接続されている。
【００９８】
ＣＰＵ８０１は、ナビゲーション装置８００の全体の制御を司る。ＲＯＭ８０２は、ブートプログラム、通信プログラム、データ解析プログラムなどの各種プログラムを記録している。また、ＲＡＭ８０３は、ＣＰＵ８０１のワークエリアとして使用される。
【００９９】
磁気ディスクドライブ８０４は、ＣＰＵ８０１の制御にしたがって磁気ディスク８０５に対するデータの読み取り／書き込みを制御する。磁気ディスク８０５は、磁気ディスクドライブ８０４の制御で書き込まれたデータを記録する。磁気ディスク８０５としては、たとえば、ＨＤ（ハードディスク）やＦＤ（フレキシブルディスク）を用いることができる。
【０１００】
光ディスクドライブ８０６は、ＣＰＵ８０１の制御にしたがって光ディスク８０７に対するデータの読み取り／書き込みを制御する。光ディスク８０７は、光ディスクドライブ８０６の制御にしたがってデータの読み出される着脱自在な記録媒体である。光ディスク８０７は、書き込み可能な記録媒体を利用することもできる。また、この着脱自在な記録媒体として、光ディスク８０７のほか、ＭＯ、メモリカードなどであってもよい。
【０１０１】
音声Ｉ／Ｆ８０８は、音声出力用のスピーカ８０９に接続される。スピーカ８０９は、音声を出力する。入力デバイス８１０は、文字、数値、各種指示などの入力のための複数のキーを備えたリモコン、キーボード、マウス、タッチパネルなどが挙げられる。入力デバイス８１０は、リモコン、キーボード、マウス、タッチパネルのうち、いずれか一つの形態によって実現されてもよいし、複数の形態によって実現されてもよい。
【０１０２】
映像Ｉ／Ｆ８１１は、ディスプレイ８１２と接続される。映像Ｉ／Ｆ８１１は、具体的には、たとえば、ディスプレイ８１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ８１２を表示制御する制御ＩＣなどによって構成される。
【０１０３】
ディスプレイ８１２には、アイコン、カーソル、メニュー、ウインドウ、あるいは文字や画像などの各種データが表示される。ディスプレイ８１２には、上述した地図データが
２次元または３次元に描画される。ディスプレイ８１２に表示された地図データには、ナビゲーション端末５２０を搭載した車両の現在地点をあらわすマークなどを重ねて表示することができる。車両の現在地点は、ＣＰＵ８０１によって算出される。
【０１０４】
このディスプレイ８１２は、たとえば、ＣＲＴ、ＴＦＴ液晶ディスプレイ、プラズマディスプレイなどを採用することができる。ディスプレイ８１２は、たとえば、車両のダッシュボード付近に設置される。ディスプレイ８１２は、車両のダッシュボード付近のほか、車両の後部座席周辺などに設置するなどして、車両内に複数設置してもよい。
【０１０５】
通信Ｉ／Ｆ８１３は、無線を介してインターネットなどの通信網に接続され、この通信網とＣＰＵ８０１とのインターフェースとしても機能する。通信網には、ＬＡＮ、ＷＡＮ、公衆回線網や携帯電話網などがある。
【０１０６】
ＧＰＳユニット８１４は、ＧＰＳ衛星からの電波を受信し、車両の現在地点を示す情報を出力する。ＧＰＳユニット８１４の出力情報は、後述する各種センサ８１５の出力値とともに、ＣＰＵ８０１による車両の現在地点の算出に際して利用される。現在地点を示す情報は、たとえば緯度・経度、高度などの、地図データ上の１点を特定する情報である。
【０１０７】
各種センサ８１５は、車速センサ、加速度センサなどの、車両の位置や挙動を判断することが可能な情報を出力する。各種センサ８１５の出力値は、ＣＰＵ８０１による車両の現在地点の算出や、速度や方位の変化量の測定などに用いられる。カメラ８１６は、携帯電話端末５１０に内蔵され、静止画や動画を撮影する。
【０１０８】
（広告提供システム５００の広告提供処理の一例）
つぎに、図９を用いて、本実施例にかかる広告提供システム５００の広告提供処理の一例について説明する。図９は、本実施例にかかる広告提供システム５００の広告提供処理の一例を示すシーケンス図である。
【０１０９】
図９において、まず、携帯電話端末５１０は、アプリケーションプログラムが起動するまで待機状態にあり（ステップＳ９０１：Ｎｏのループ）、アプリケーションプログラムが起動すると（ステップＳ９０１：Ｙｅｓ）、ナビゲーション端末５２０に起動命令を送信する（ステップＳ９０２）。そして、ナビゲーション端末５２０は、携帯電話端末５１０からの起動命令に基づいて、ナビゲーション機能を起動する（ステップＳ９０３）。ステップＳ９０３のナビゲーション機能の起動時において、予め携帯電話端末５１０またはナビゲーション端末５２０に格納される広告情報が存在する場合には、当該広告情報を出力した後にナビゲーション機能を起動する。
【０１１０】
このあと、携帯電話端末５１０に初期設定完了通知を送信する（ステップＳ９０４）。そして、携帯電話端末５１０は、広告提供サーバ５３０に対して、ナビゲーション端末５２０の利用開始の情報およびユーザＩＤを送信する（ステップＳ９０５）。広告提供サーバ５３０は、ナビゲーション端末５２０の利用開始の情報およびユーザＩＤを受信する（ステップＳ９０６）。そして、ユーザＩＤに対応する属性情報を選出する（ステップＳ９０７）。
【０１１１】
また、携帯電話端末５１０では、ステップＳ９０５のあと、ナビゲーション端末５２０に、位置に関する情報の要求をおこなう（ステップＳ９０８）。そして、ナビゲーション端末５２０は、携帯電話端末５１０からの要求に基づき、携帯電話端末５１０に、現在位置の情報や目的地までの経路の情報など、位置に関する情報を送信する（ステップＳ９０９）。そして、携帯電話端末５１０は、広告提供サーバ５３０に対して、ナビゲーション端末５２０から受信した位置に関する情報を送信する（ステップＳ９１０）。
【０１１２】
このあと、広告提供サーバ５３０は、属性情報と、位置に関する情報とに基づいて、広告情報を選定する（ステップＳ９１１）。そして、携帯電話端末５１０に広告情報の配信をおこなう（ステップＳ９１２）。そして、携帯電話端末５１０は、広告情報を受信する（ステップＳ９１３）。さらに、携帯電話端末５１０は、広告情報を選別する（ステップＳ９１４）。ステップＳ９１４における、広告情報の選別は、ナビゲーション端末５２０から出力される広告情報と、携帯電話端末５１０から出力される情報の選別である。
【０１１３】
そして、携帯電話端末５１０は、ナビゲーション端末５２０に、選別した広告情報のうち、ナビゲーション端末５２０から出力する広告情報を送信する（ステップＳ９１５）。ナビゲーション端末５２０は、受信した広告情報を記録する（ステップＳ９１６）。このあと、移動体の走行状態を検知する（ステップＳ９１７）。そして、走行状態に応じて、広告情報を出力する（ステップＳ９１８）。つぎに、終了処理を受け付けたか否かを判断する（ステップＳ９１９）。ステップＳ９１９において、終了処理を受け付けた場合（ステップＳ９１９：Ｙｅｓ）、携帯電話端末５１０に、広告情報の出力結果を送信する（ステップＳ９２０）。一方、ステップＳ９１９において、終了処理を受け付けない場合（ステップＳ９１９：Ｎｏ）、ステップＳ９０９に移行する。
【０１１４】
携帯電話端末５１０は、広告提供サーバ５３０に、ナビゲーション端末５２０から受信した広告情報の出力結果を送信する（ステップＳ９２１）。そして、広告提供サーバ５３０は、出力結果を格納する（ステップＳ９２２）。また、ナビゲーション端末５２０は、ステップＳ９２０のあと、携帯電話端末５１０に終了命令を送信し（ステップＳ９２３）、終了処理をおこない（ステップＳ９２４）、一連の処理を終了する。そして、携帯電話端末５１０は、広告提供サーバ５３０に、ナビゲーション端末５２０の利用履歴を送信し（ステップＳ９２５）、アプリケーションプログラムの終了処理をおこない（ステップＳ９２６）、一連の処理を終了する。なお、ステップＳ９２５における、ナビゲーション端末５２０の利用履歴は、ナビゲーション端末５２０の走行履歴や楽曲の再生履歴などである。
【０１１５】
そして、広告提供サーバ５３０は、ナビゲーション端末５２０の利用履歴を基に、属性情報を生成し（ステップＳ９２７）、ユーザ属性情報ＤＢ５３２に属性情報を格納し（ステップＳ９２８）、一連の処理を終了する。
【０１１６】
また、上述した処理のステップＳ９２７では、ナビゲーション端末５２０の利用履歴に基づいて属性情報を生成するようにしたが、当該ナビゲーション端末５２０との接続時に、Ｗｅｂサイトにアクセスなどして、携帯電話端末５１０を使用した場合には、携帯電話端末５１０の使用履歴も加えて、属性情報を生成してもよい。
【０１１７】
また、属性情報の生成のタイミングは、ナビゲーション端末５２０や携帯電話端末５１０の終了時におこなうことに限らず、たとえば、携帯電話端末５１０やナビゲーション端末５２０との接続と同時に、開始してもよい。具体的には、たとえば、携帯電話端末５１０との接続と同時に、電子マネーの購入履歴やコンテンツの再生履歴など、前回の接続から今回の接続までの間の、使用状態の履歴や行動に関する履歴を、広告提供サーバ５３０が受信した際に、属性情報を生成するようにしてもよい。属性情報の生成のタイミングをこのようにすることにより、直近の履歴を属性情報に反映させることが可能になり、利用者に適した広告情報を提供することが可能になる。
【０１１８】
また、本実施例にかかる広告提供システム５００では、携帯電話端末５１０が広告提供サーバ５３０から広告情報を受信するようにしたが、ナビゲーション端末５２０が広告提供サーバ５３０から広告情報の配信要求をおこない、広告情報を受信するようにしてもよい。そして、携帯電話端末５１０は、ナビゲーション端末５２０から転送された広告情報を出力すればよい。なお、この場合、ナビゲーション端末５２０に、携帯電話端末５１０の各機能部を具備させるとともに、携帯電話端末５１０固有のユーザＩＤを登録しておき、当該ナビゲーション端末５２０を利用する者を特定できるようにすればよい。
【０１１９】
また、ナビゲーション端末５２０が広告提供サーバ５３０とから広告情報を受信するようにした場合において、移動体に複数の搭乗者がおり、各々が携帯電話端末５１０を所持している場合、ナビゲーション端末５２０は、各々の携帯電話端末５１０のユーザＩＤを取得し、各々の利用者に共通する属性情報に基づいて、広告情報を受信するようにしてもよい。また、上述した処理においては、携帯電話端末５１０からの起動命令により、ナビゲーション端末５２０を起動させるようにしたが、利用者がナビゲーション端末５２０に電源を入れたときに、携帯電話端末５１０と通信をおこなうようにしてもよい。なお、この場合であっても、広告情報を出力した後に、ナビゲーション機能を起動すればよい。
【０１２０】
また、本実施例では、広告提供サーバ５３０に、生成部６３２、選出部６３３、判定部６３６、ユーザ属性情報ＤＢ５３２を具備させたが（図６参照）、ナビゲーション端末５２０または携帯電話端末５１０にこれらの機能を具備させることも可能である。
【０１２１】
（属性情報とこれに対応する広告情報の具体例）
つぎに、図１０および図１１を用いて、属性情報とこれに対応する広告情報の具体例について説明する。図１０は、属性情報の具体例を示す説明図である。図１０に示すユーザ属性データ１０００には、履歴１０１０と、属性情報１０２０とが示されている。このユーザ属性データ１０００に対応する利用者は、２０代の未婚の男性として個人情報が設定されている。この利用者は、履歴１０１０の検索履歴に示すように、スポーツジムＳ１の検索履歴がある。また、位置の履歴により、新宿と目黒の往復移動がある。これらの履歴から、属性情報１０２０には、スポーツジム関連の情報と、新宿−目黒間の各経由地の情報が生成されている。
【０１２２】
図１１は、ユーザ属性データ１０００に対応する広告データの具体例を示す説明図である。図１１に示す広告データ１１００には、場所１１０１と、広告情報１１０２とが示されている。つまり、ナビゲーション端末５２０のＧＰＳ機能による利用者の位置情報と、図１０に示したユーザ属性データ１０００とを基に、配信される広告情報１１０２が示されている。具体的には、たとえば、新宿−目黒間を利用者が移動中に、新宿−目黒間の経由地である代々木のスポーツジムＳ１，Ｓ２や、スポーツ用品店Ｔの広告情報が配信されることになる。また、利用者の位置にかかわらず、某スポーツ用品メーカの宣伝を配信してもよい。
【０１２３】
なお、広告情報１１０２の配信する時期は、広告情報に応じて、最も効果的な時間帯に配信することが望ましい。具体的には、たとえば、スポーツジムＳ１，Ｓ２などの広告情報にあっては、朝の通勤途中などよりも、夕方の帰宅時などの方が、利用者が立ち寄る可能性が高く、効果的である。また、配信されたスポーツジムＳ１，Ｓ２の広告情報に付随する情報として、広告配信日が休みであり、近隣に他のスポーツジムが存在しない場合、たとえば、バッティングセンタやテニスクラブなど、他に運動することができる場所の広告情報を配信してもよい。
【０１２４】
また、広告情報１１０２の配信する時期について、他の具体例を挙げると、たとえば、新宿−目黒間の位置の属性情報があり、現在（午前１１時）川越に位置し、新宿方面に向かっているものとする。また、利用者の属性情報（５０代男性、寿司、そば）が生成されているものとする。そして、午後０時に新宿に到達するものと想定できる場合、お昼時の広告情報として、利用者の属性情報に基づいて、あっさりした料理の飲食店の広告情報を提供すればよい。
【０１２５】
また、たとえば、個人情報として３０代の妻子のある男性が設定され、水族館の検索履歴、およびカメラの使用履歴があり、属性情報として、「水族館、観光地、娯楽施設、カメラ、ＡＶ機器」などが生成されている場合を想定してみる。なお、広告情報を配信する日が水族館の休館日であるものとする。この場合、配信される広告情報は、水族館でもよいが、休館日であることを考慮すると、家族で楽しめる施設や飲食店などであってもよい。また、子供を撮影するための、カメラやビデオの広告情報を配信することも可能である。つまり、休館日等、所定の付随する情報がある場合には、該当する広告情報を配信せずに、他の広告情報を配信するようにしてもよい。
【０１２６】
また、上述した説明では、格納される属性情報のうち、単に、生成された回数の多いものを優先して選出するようにしたが、年齢や性別などの個人情報を加味して、選出してもよい。つまり、たとえば、７０代の利用者と２０代の利用者に、同じ「スポーツジムＳ１」の検索履歴がある場合、７０代の利用者よりも２０代の利用者の方が、スポーツ関連の広告情報を有効活用する可能性が高い。したがって、予め、特定の属性情報と、年齢、性別、独身、既婚といった個人情報とを紐付けておき、生成された属性情報のうち、個人情報に紐付けられた属性情報がある場合には、当該属性情報の生成された回数を、たとえば、２倍、３倍にカウントするようにしてもよい。
【０１２７】
また、位置の履歴に基づく属性情報（たとえば、目黒）と、検索履歴に基づく属性情報（たとえば、スポーツジム）とでは、検索履歴に基づく属性情報の方が、利用者の趣味や嗜好を反映させることができるので、広告に利用できる情報性は高い。したがって、属性情報のうち、位置に関するものがある場合には、生成された回数を、たとえば、１／２倍、１／３倍にカウントするようにしてもよい。
【０１２８】
具体例を挙げると、たとえば、個人情報として２０代の男性が設定され、「スポーツジム」および「着物」の検索履歴と、「目黒駅」の位置の履歴とが存在する場合、属性情報としては、「スポーツジム、スポーツ、着物、浴衣、目黒」などが生成される。この場合、「スポーツジム」や「スポーツ」の属性情報が、「２０代」という個人情報に紐付けられているものとすると、「スポーツジム」や「スポーツ」の属性情報が、「着物」や「浴衣」に比べて生成された回数の多いものとしてカウントされる。したがって、「スポーツジム」や「スポーツ」の属性情報が、「着物」や「浴衣」に比べて優先して選出される。
【０１２９】
また、上述したように、位置に関するもの（目黒）よりも、検索に関するものの方を優先して選出することが望ましい。この場合、最初に、スポーツジムやスポーツ用品店に着目した広告情報の検索がおこなわれ、つぎに、目黒近郊のスポーツジムやスポーツ用品店の検索がおこなわれる。したがって、目黒近郊のスポーツジムやスポーツ用品店の広告情報が存在しない場合は、たとえば、新宿のスポーツジムやスポーツ用品店の広告情報が配信されることになる。
【０１３０】
さらに、これらに該当する広告情報が存在しない場合、着物や浴衣の属性情報に基づいた広告情報の検索をおこなえばよい。このように、属性情報の選出に際し、優先順位を設けてもよい。
【０１３１】
また、広告情報は、利用者が車内で運転中であることが想定されるため、運転に付随するものが有効となる。たとえば、自動車販売店の近くを通る際には、広告対象となる車種のエンジン音をスピーカ８０９から再生させることにより、自車のエンジン音と比較できるようにした広告が挙げられる。
【０１３２】
また、自動車部品販売店の近くを通る際には、広告対象となるタイヤのロードノイズをスピーカ８０９から再生させることにより、自車のタイヤのロードノイズと比較できるようにした広告が挙げられる。なお、ロードノイズの再生に際しては、広告対象となるタイヤの、走行道路および走行速度に対応するロードノイズが予め設定される。そして、ナビゲーション端末５２０にて、車両の位置情報に基づいて走行道路を特定し、特定した走行道路と走行速度とから対応するロードノイズを選出し、選出したロードノイズを再生させればよい。このような運転に付随した広告情報を出力することにより、利用者がより興味を持つ広告情報を提供することができる。
【０１３３】
以上説明したように、本実施例にかかる広告提供システム５００は、利用者による当該携帯電話端末５１０またはナビゲーション端末５２０の使用状態に関する履歴、または利用者の行動に関する履歴に基づいて、利用者の属性情報を生成し、生成された属性情報と、移動体の位置に関する情報に基づいて、広告提供サーバ５３０に広告情報の配信要求をおこない、広告情報を受信するようにした。したがって、利用者の趣味、嗜好、行動パターンなど、利用者ごとに対応した広告情報を受信することができる。また、現在位置周辺の広告情報や、目的地周辺の広告情報や、過去の行動に関する履歴を基に利用者が向かうと想定される場所までの経路周辺の広告情報などを受信することが可能になる。これにより、利用者にとっては、自身が所望する広告情報や、自身にとって興味のある広告情報を閲覧できるばかりか、利用者が買い忘れていたものや、行き忘れていたところなどを思い出せるといったことも可能になる。このように、本実施例によれば、利用者にとって、広告情報をより有益な情報とすることができる。
【０１３４】
また、本実施例において、携帯電話端末５１０が受信した広告情報を、ナビゲーション端末５２０に転送するようにした。このような構成によれば、携帯電話端末５１０のディスプレイに比べて、大きなディスプレイを備えたナビゲーション端末５２０にて、動画などの広告情報を出力することが可能になる。したがって、広告情報に対応し、利用者にとって見易い装置にて、当該広告情報を出力することができる。
【０１３５】
なお、携帯電話端末５１０が受信した広告情報の転送については、ナビゲーション端末５２０のほかにも、テレビやパソコンに携帯電話端末５１０を接続した際に、当該広告情報を転送するようにしてもよい。これにより、利用者は、複数のメディアで、広告情報の閲覧が可能になるとともに、いつでも、利用者の生活に、より密着した広告情報を提供することができる。
【０１３６】
また、本実施例において、携帯電話端末５１０およびナビゲーション端末５２０から広告情報が出力されたか否かを判定するようにし、判定された判定結果に基づいて、広告情報の選定をおこなうようにしてもよい。このような構成によれば、たとえば、利用者に当該広告のイメージを残させるために、所定回数、同じ広告情報の配信要求をおこなうようにしたり、または、同じ広告情報を何度も提供することを防止するようにしたりすることができる。
【０１３７】
また、本実施例において、移動体の走行状態を検知するようにし、検知された移動体の走行状態に応じて、広告情報の出力を制御するようにした。このような構成によれば、たとえば、移動体が停車中に広告情報を出力することができる。したがって、利用者に対して適切なタイミングで広告情報を出力することができる。
【０１３８】
以上説明したように、本発明の広告提供システム、広告提供システムに用いられる携帯電話装置、広告提供システムに用いられるナビゲーション装置、広告提供方法、広告受信方法、広告提供プログラム、広告受信プログラム、および記録媒体は、利用者による広告出力装置の使用状態に関する履歴、または利用者の行動に関する履歴に基づいて、利用者の属性情報を生成し、生成された属性情報と、移動体の位置に関する情報に基づいて、広告情報の提供をおこなうようにした。
【０１３９】
したがって、利用者は、利用者の趣味、嗜好、行動パターンなど、利用者ごとに対応した広告情報を得ることができる。これにより、利用者にとっては、自身が所望する広告情報や、自身にとって興味のある広告情報を閲覧できるばかりか、利用者が買い忘れていたものや、行き忘れていたところなどを思い出せるといったことも可能になる。このように、本発明の広告提供システム、広告提供システムに用いられる携帯電話装置、広告提供システムに用いられるナビゲーション装置、広告提供方法、広告受信方法、広告提供プログラム、広告受信プログラム、および記録媒体は、利用者にとって、広告情報をより有益な情報とすることができる。
【０１４０】
なお、本実施例で説明した広告提供方法および広告受信方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【図面の簡単な説明】
【０１４１】
【図１】実施の形態１にかかる広告提供システムの構成の一例を示す説明図である。
【図２】実施の形態１にかかる広告提供システムに用いられる携帯電話装置の広告受信処理手順の一例を示すフローチャートである。
【図３】実施の形態２にかかる広告提供システムの構成の一例を示す説明図である。
【図４】実施の形態２にかかる広告提供システムに用いられる広告提供サーバの広告提供処理手順の一例を示すフローチャートである。
【図５】本実施例にかかる広告提供システムのシステム構成図である。
【図６】広告提供システムの機能的構成の一例を示す説明図である。
【図７】ユーザ属性ＤＢのデータ構造の一例を示す説明図である。
【図８】本実施例にかかるコンピュータ装置のハードウェア構成の一例を示すブロック図である。
【図９】本実施例にかかる広告提供システムの広告提供処理の一例を示すシーケンス図である。
【図１０】属性情報の具体例を示す説明図である。
【図１１】ユーザ属性データに対応する広告データの具体例を示す説明図である。
【符号の説明】
【０１４２】
１００  広告提供システム
１１０  携帯電話装置
１１１  取得部
１１２  生成部
１１３  第１の受信部
１１４  要求部
１１５  送信部
１１６  第２の受信部
１１７  出力部
１１８  蓄積部
１１９  選出部
１２０  転送部
１２１  選別部
１２２  判定部
１３０  広告提供サーバ
１４０  ナビゲーション装置
１４１  検出部
１４２  送信部
１４３  受信部
１４４  出力部
１４５  検知部
１４６  出力制御部
１４７  判断部
１４８  起動部
３００  広告提供システム
３１０  広告提供サーバ
３１１  受信部
３１２  生成部
３１３  選定部
３１４  配信部
３２０  携帯電話装置
３３０  ナビゲーション装置
５００  広告提供システム
５１０  携帯電話端末
５２０  ナビゲーション端末
５３０  広告提供サーバ
５３１  広告コンテンツＤＢ
５３２  ユーザ属性情報ＤＢ
６１１  近距離受信部
６１２  取得部
６１３  送信部
６１４  受信部
６１５  選別部
６１６  転送部
６１７  出力部
６２１  検出部
６２２  近距離送信部
６２３  近距離受信部
６２４  記録部
６２５  検知部
６２６  出力制御部
６２７  出力部
６３１  受信部
６３２  生成部
６３３  選出部
６３４  選定部
６３５  配信部
６３６  判定部
７００  ユーザ属性データ
【図１】
2009080733.tif 000003
【図２】
2009080733.tif 000004
【図３】
2009080733.tif 000005
【図４】
2009080733.tif 000006
【図５】
2009080733.tif 000007
【図６】
2009080733.tif 000008
【図７】
2009080733.tif 000009
【図８】
2009080733.tif 000010
【図９】
2009080733.tif 000011
【図１０】
2009080733.tif 000012
【図１１】
2009080733.tif 000013